(57)【要約】【課題】リモコンと電気機器本体の間に障害物がある場合、リモコンの赤外光線が遮断されて、リモコン操作が出来なく、これを回避するために、赤外光線の伝達装置が考案されているが、電気機器の直前に障害物がある場合にはその効果が出難い。【解決手段】筒状本体上部に筒の水平面に対し４５°の角度で鏡面を下向きにした反射鏡を有し、一方筒状本体下部には筒の水平面に対し４５°の角度で鏡面を上向きにした反射鏡を設けた装置である。上部反射鏡にリモコンの赤外線が当てられ、筒下部の反射鏡に向けて光線が反射させられる、更に下部反射鏡により電気機器受光部へと反射させられることにより、リモコンの操作光線を電気機器に伝達することが出来る。【選択図】図１
2017192119.tif 000002
【特許請求の範囲】
【請求項１】
筒状本体上部に筒の水平面に対して、鏡面の下向き角度が４５°±２０°の範囲で角度調節ができる反射鏡が自在接手で取り付けられ、筒状本体下部に筒の水平面に対して、鏡面の上向き角度が４５°±２０°の範囲で角度調整ができる反射鏡が自在接手で取り付けられている、リモコン赤外光線の簡易伝達装置。
【請求項２】
上部の反射鏡が、平面鏡もしくは凹面鏡であり、下部反射鏡が、平面鏡もしくは表面に細かい凹凸面を有する鏡面である、請求項１のリモコン赤外光線の簡易伝達装置。
【請求項３】
筒状本体が上下に二分されており、上部または下部のどちらか一方に適度の嵌合より差し込まれており、筒内面に鏡面加工が施されている、請求項１又は請求項２のリモコン赤外光線の簡易伝達装置。
【発明の詳細な説明】
【技術分野】
【０００１】  本発明はリモコンの赤外光線を電気機器の赤外線受光部に伝達するものである。
【背景技術】
【０００２】  ＴＶ、ＤＶＤレコーダーなどの電気機器の多くは、リモコンにより操作が行われているが、リモコンの赤外線発光部と電気機器本体の赤外線受光部の間に何らかの障害物がある場合、赤外線が遮断される為うまく操作ができなかった。
壁や天井に凸面鏡などを設置し、赤外光線を広範囲に反射させる方法が知られている。
【先行技術文献】
【特許文献】
【０００３】
【特許文献１】  特開平５−６３６５１号公報
【特許文献２】  実登３０５０２６６号公報
【特許文献３】  特開２００９−２７８１６４号公報
【発明の概要】
【発明が解決しようとする課題】
【０００４】  リモコンと電気機器本体の間に何らかの障害物がある場合、特に電気機器の直前に障害物がある場合にはリモコンの赤外光線が途中で遮断断され、操作ができなくなる。
特許文献１及び２は室内の天井又は壁面に凸面鏡を設置し、リモコンの赤外光線を当て、拡散させる方法であるが、電気機器の直前に障害物がある場合には効果が出難いので使用するには不便であった。
特許文献３は光ケーブルを利用した方法であるが、光ケーブル用の受光器及び発光器などの新たな機器が必要であり、簡易的でなくまた、電気機器と障害物の間の狭い場所に設置することは難しかった。
本発明は以上の問題点を解決するものである。
【課題を解決するための手段】
【０００５】  本発明は、筒状本体上部に筒の水平面に対して４５°の角度で鏡面を下向きにした反射鏡を有し、一方、筒状本体下部には筒の水平面に対して４５°の角度で鏡面を上向きにした反射鏡を設けた装置である。
上部反射鏡にリモコンの赤外光線が当てられ、筒下部の反射鏡に向け光線が反射させられる、更に下部反射鏡により電気機器の赤外線受光部にと反射させられることにより、リモコンの操作光線を電気機器に伝達することが出来る。
【発明の効果】
【０００６】  本発明は、構造的に簡易であるため小型化でき、電気機器赤外線受光部の直前に設置することにより、前面の障害物の影響を受けずに確実に赤外光線を届けることが出来る。
【図面の簡単な説明】
【０００７】
【図１】本発明の側面図
【図２】本発明の斜視図
【図３】本発明の使用状態図
【発明を実施するための形態】
【０００８】  以下、本発明の実施の形態を説明する。
（イ）筒状本体上部（３）に筒の水平面に対し４５°の角度で鏡面を下向きにした上部反射鏡（１）を有し、一方、筒状本体下部（４）に筒の水平面に対し４５°の角度で鏡面を上向きにした下部反射鏡（２）を設置した、筒状装置である。
（ロ）上部反射鏡（１）の下向き角度は、リモコン赤外光線を筒下部に効率的に反射させる為、リモコンの入射角度などにより調整できる様、４５°±２０°の幅で角度を変えられるように、筒状上部に自在接手（６）で取り付けられている。また、下部反射鏡（２）の上向角度は、電気機器の赤外線受光部に合わせ反射光を調整できる様、４５°±２０°の幅で角度を変えられるように、筒状下部に自在接手（６）により取り付けられている。
（ハ）上部反射鏡（１）は、平面鏡もしくは凹面鏡が用いられる、特に凹面鏡は広範からの赤外光線を受光でき、筒下部に反射させることが出来る。一方、下部反射鏡（２）は、平面鏡もしくは鏡面に細かい凹凸のある平面鏡が用いられる。特に細かい凹凸のある平面鏡は光線を拡散させることにより、受光部への到達確率を高めることが出来る。
（ニ）筒状本体は、上部（３）と下部（４）に二分されており、上部または下部のどちらか一方に、はめ合わす面の摩擦抵抗により、外力を加えなければ動かない適度の嵌合（５）でもって差し込まれている。これにより筒全体の長さ及び上下の反射鏡の向きを変えることが可能となり、障害物の高さ、発光部と受光部の方向などにより自在に調整することが出来る。
（ホ）筒状本体上部（３）と下部（４）の内面は全て、鏡面加工が施されている。これにより、筒内部に入った光線が筒内壁に当たることによる減衰を極力少なく、下部反射鏡面に到達できる。
（ヘ）筒状本体上部（３）と下部（４）は底部分で調整用ネジ（８）により台座（６）に設置されている。
調整用ネジ（８）は、電気機器の赤外線受光部の高さに、下部反射鏡（２）の高さを調整するために用いられる。
本発明は以上のような構造である。
【０００９】  本発明を使用するときは、図３に示すように、本発明装置を電気機器（１１）の赤外線受光部（１２）と障害物（机）（１３）の間に設置し、下部反射鏡（２）が電気機器赤外線受光部（１２）の方向を向きかつ、受光部（１２）が下部反射鏡（２）の中央部分に来るよう調整用ネジ（８）で高さを合わせる。次に、上部反射鏡（１）が障害物（１３）の上に出るように又、リモコン（９）の赤外線発光部（１０）の方向を向くように、上下筒嵌合部（５）を用いて高さ及び方向を設定する。更に、電気機器の赤外線受光部（１２）の位置、リモコン発光部（１０）の高さに応じて、より多くの光線を取り込めるように、上下反射鏡の角度を自在接手（６）により微調節する。
リモコン（９）の赤外線発光部（１０）を、上部反射鏡（１）の中央部分に向けて赤外光線（１６）を発光させる。発光された赤外光線（１６）は、上部反射鏡（１）により、下部反射鏡（２）に向けて反射させられ、更に、下部反射鏡（２）により、電気機器（１１）の赤外線受光部（１２）に向け反射させられる。
これにより、直前に障害物があっても、リモコンの赤外光線（１６）を本発明装置の上部反射鏡（１）に向け発光することで確実に電気機器赤外線受光部（１２）に届けることができる。
【符号の説明】
【００１０】１  上部反射鏡、２  下部反射鏡、３  筒状本体上部、４  筒状本体下部、
５  上下筒嵌合部、６  自在接手、７  台座、８  調整用ネジ、９  リモコン、
１０  リモコン赤外線発光部、１１  電気機器、１２  電気機器赤外線受光部、
１３  障害物（机）、１４  テレビ、１５  テレビ台、１６  赤外光線、
【図１】
2017192119.tif 000003
【図２】
2017192119.tif 000004
【図３】
2017192119.tif 000005